(57)【要約】  リーダ装置付きカゴは、ＲＦＩＤタグが付された物品を収容するカゴ本体と、カゴ本体に設けられ、ＲＦＩＤタグを読み取るためのリーダ装置と、を備え、リーダ装置は、ＲＦＩＣ素子と、一端がＲＦＩＣ素子に接続され、カゴ本体を構成する面の少なくとも一部に配置されたケーブル状アンテナと、を含む。
2017159275.tif 000002
【特許請求の範囲】
【請求項１】
ＲＦＩＤタグが付された物品を収容するカゴ本体と、
前記カゴ本体に設けられ、前記ＲＦＩＤタグを読み取るためのリーダ装置と、
を備え、
前記リーダ装置は、
ＲＦＩＣ素子と、
一端が前記ＲＦＩＣ素子に接続され、前記カゴ本体を構成する面の少なくとも一部に配置されたケーブル状アンテナと、
を含む、リーダ装置付きカゴ。
【請求項２】
前記ケーブル状アンテナは、前記ＲＦＩＣ素子が設けられた面から延在して前記ＲＦＩＣ素子が設けられた面とは異なる面にわたって配置されている請求項１に記載のリーダ装置付きカゴ。
【請求項３】
前記ケーブル状アンテナは、さらに前記カゴ本体の底面に沿って設置されている、請求項１または２に記載のリーダ装置付きカゴ。
【請求項４】
前記ケーブル状アンテナは、前記カゴ本体の開口部を介して前記物品を収容する収容部分に、前記開口部を貫く軸を周回するようにヘリカル状に配置されている、請求項１から３のいずれか一項に記載のリーダ装置付きカゴ。
【請求項５】
前記ケーブル状アンテナは、一端が前記ＲＦＩＣ素子に接続された信号ラインと、前記信号ラインに沿って設けられているとともに、前記信号ラインに沿って所定間隔に開口を有したグランドと、他端に設けられた終端器と、を有する、請求項１から４のいずれか一項に記載のリーダ装置付きカゴ。
【請求項６】
前記ケーブル状アンテナは、一端が前記ＲＦＩＣ素子に接続された信号ラインと、前記信号ラインに沿って設けられたグランドと、他端に設けられ、前記信号ラインと前記グランドとの間に接続された整合器と、を有する、請求項１から４のいずれか一項に記載のリーダ装置付きカゴ。
【請求項７】
さらに、前記リーダ装置に接続され、外部側近距離無線通信器と通信するカゴ側近距離無線通信器を有する、請求項１から６のいずれか一項に記載のリーダ装置付きカゴ。
【請求項８】
前記カゴ側近距離無線通信器は、ＵＨＦ帯またはＳＨＦ帯を利用した近距離無線通信システムで、前記外部側近距離無線通信器と通信する、請求項７に記載のリーダ装置付きカゴ。
【請求項９】
ＲＦＩＤタグが付された物品を収容するカゴ本体と、前記カゴ本体に設けられ、前記ＲＦＩＤタグを読み取るためのリーダ装置と、前記リーダ装置に接続され、外部と通信するカゴ側近距離無線通信器と、を有するリーダ装置付きカゴであって、
前記リーダ装置は、
ＲＦＩＣ素子と、
一端が前記ＲＦＩＣ素子に接続され、前記カゴ本体を構成する面の少なくとも一部に配置されたケーブル状アンテナと、
を含む、リーダ装置付きカゴと、
前記カゴ側近距離無線通信器と通信する外部側近距離無線通信器と、
前記外部側近距離無線通信器と接続されたホストコンピュータと、
を備え、
前記リーダ装置付きカゴに入っている物品のＲＦＩＤタグの情報が、前記ＲＦＩＤタグ及び前記ケーブル状アンテナによるＲＦＩＤシステムと、前記外部側近距離無線通信器及び前記カゴ側近距離無線通信器による近距離無線通信システムと、を介して、前記ホストコンピュータに伝達される、物品管理システム。
【発明の詳細な説明】
【技術分野】
【０００１】
本発明は、ＲＦＩＤタグのリーダ装置付きカゴ及び前記カゴを利用した物品管理システムに関する。
【背景技術】
【０００２】
店舗における商品管理システムとしては、ＰＯＳ（Point of Sale）システムが代表的である。現行のＰＯＳシステムでは、商品が販売された時点、つまり、会計が済んだ時点で初めて、その販売情報がデータベースに記録される。そのため、たとえば商品が会計前の買物カゴに入っている場合、データベース上は在庫があるはずなのに、商品棚には商品が無い、という事態が生じてしまう。【０００３】
これに対し、例えば、買物カゴ自体にリーダライタを取り付けておき、会計前の買物カゴに入っているタグ付き商品を管理する商品管理システムが開示されている（例えば、特許文献１参照。）。このシステムによれば、店舗内に滞留する商品についても管理できる。
【先行技術文献】
【特許文献】
【０００４】
【特許文献１】特開２００４−２９２１４３号公報
【発明の概要】
【発明が解決しようとする課題】
【０００５】
しかし、上記の構成では、買物カゴに入れられた商品が重ねられていたり（タグが重ねられていたり）、商品や包装物が金属を含んでいたりすると、各タグにおけるアンテナの放射特性が阻害されるため、買物カゴ内のタグ付き商品を読み取ることが難しい。【０００６】
そこで、本発明は、買物カゴ等のカゴ内のタグ付き商品を読み取り易いリーダ装置付きカゴを提供することを目的とする。
【課題を解決するための手段】
【０００７】
本発明に係るリーダ装置付きカゴは、
ＲＦＩＤタグが付された物品を収容するカゴ本体と、
前記カゴ本体に設けられ、前記ＲＦＩＤタグを読み取るためのリーダ装置と、
を備え、
前記リーダ装置は、
ＲＦＩＣ素子と、
一端が前記ＲＦＩＣ素子に接続され、前記カゴ本体を構成する面の少なくとも一部に配置されたケーブル状アンテナと、
を含む。【０００８】
本発明に係る物品管理システムは、ＲＦＩＤタグが付された物品を収容するカゴ本体と、前記カゴ本体に設けられ、前記ＲＦＩＤタグを読み取るためのリーダ装置と、前記リーダ装置に接続され、外部と通信するカゴ側近距離無線通信器と、を有するリーダ装置付きカゴであって、
前記リーダ装置は、
ＲＦＩＣ素子と、
一端が前記ＲＦＩＣ素子に接続され、前記カゴ本体を構成する面の少なくとも一部に配置されたケーブル状アンテナと、
を含む、リーダ装置付きカゴと、
前記カゴ側近距離無線通信器と通信する外部側近距離無線通信器と、
前記外部側近距離無線通信器と接続されたホストコンピュータと、
を備え、
前記リーダ装置付きカゴに入っている物品のＲＦＩＤタグの情報が、前記ＲＦＩＤタグ及び前記ケーブル状アンテナによるＲＦＩＤシステムと、前記外部側近距離無線通信器及び前記カゴ側近距離無線通信器による近距離無線通信システムと、を介して、前記ホストコンピュータに伝達される。
【発明の効果】
【０００９】
本発明に係るリーダ装置付きカゴによれば、ケーブル状アンテナを用いているので、買物カゴ等のカゴ内のタグ付き商品を読み取り易い。
【図面の簡単な説明】
【００１０】
【図１】実施の形態１に係るリーダ装置付きカゴの構成を示すブロック図である。
【図２】図１のリーダ装置付きカゴの一例であるリーダ装置付き買い物カゴの構成を示す概略斜視図である。
【図３】（ａ）は、漏洩同軸ケーブルアンテナの無線到達エリアの一例を示す概略図であり、（ｂ）は、（ａ）の漏洩同軸ケーブルアンテナの部分拡大図である。
【図４】（ａ）は、ＲＦＩＤタグ１１を付した物品を示す概略図であり、（ｂ）は、（ａ）のＲＦＩＤタグの一例を示す概略図である。
【図５】互いに通信可能なリーダ装置付きカゴと無線ＬＡＮ親機とを有する物品管理システムの構成を示す概略図である。
【図６】図５の物品管理システムの構成を示すブロック図である。
【図７】実施の形態２に係るリーダ装置付き買い物カゴの構成を示す概略斜視図である。
【図８】実施の形態３に係るリーダ装置付き買い物カゴの構成を示す概略斜視図である。
【図９】実施の形態４に係るリーダ装置付き買い物カゴの構成を示す概略斜視図である。
【図１０Ａ】実施の形態５に係るリーダ装置付きカゴを構成するリーダ装置のケーブル状アンテナの一例として、グランド放射型のケーブル状アンテナの構成を示す概略構成図である。
【図１０Ｂ】図１０Ａのグランド放射型のケーブル状アンテナが備える整合回路部の概略図である。
【図１１Ａ】整合回路部の平面図である。
【図１１Ｂ】図１１ＡのＡ−Ａ線断面図である。
【図１１Ｃ】図１１Ａのケーブル状アンテナが備える整合回路部の等価回路図である。
【発明を実施するための形態】
【００１１】
第１の態様に係るリーダ装置付きカゴは、
ＲＦＩＤタグが付された物品を収容するカゴ本体と、
前記カゴ本体に設けられ、前記ＲＦＩＤタグを読み取るためのリーダ装置と、
を備え、
前記リーダ装置は、
ＲＦＩＣ素子と、
一端が前記ＲＦＩＣ素子に接続され、前記カゴ本体を構成する面の少なくとも一部に配置されたケーブル状アンテナと、
を含む。
【００１２】
第２の態様に係るリーダ装置付きカゴは、上記第１の態様において、前記ケーブル状アンテナは、前記ＲＦＩＣ素子が設けられた面から延在して前記ＲＦＩＣ素子が設けられた面とは異なる面にわたって配置されていてもよい。
【００１３】
第３の態様に係るリーダ装置付きカゴは、上記第１又は第２の態様において、前記ケーブル状アンテナは、さらに前記カゴ本体の底面に沿って配置されていてもよい。
【００１４】
第４の態様に係るリーダ装置付きカゴは、上記第１から第３のいずれかの態様において、前記ケーブル状アンテナは、前記カゴ本体の開口部を介して前記物品を収容する収容部分に、前記開口部を貫く軸を周回するようにヘリカル状に配置されていてもよい。
【００１５】
第５の態様に係るリーダ装置付きカゴは、上記第１から第４のいずれかの態様において、前記ケーブル状アンテナは、一端が前記ＲＦＩＣ素子に接続された信号ラインと、前記信号ラインに沿って設けられているとともに、前記信号ラインに沿って所定間隔に開口を有したグランドと、他端に設けられた終端器と、を有してもよい。
【００１６】
第６の態様に係るリーダ装置付きカゴは、上記第１から第４のいずれかの態様において、前記ケーブル状アンテナは、一端が前記ＲＦＩＣ素子に接続された信号ラインと、前記信号ラインに沿って設けられたグランドと、他端に設けられ、前記信号ラインと前記グランドとの間に接続された整合器と、を有してもよい。
【００１７】
第７の態様に係るリーダ装置付きカゴは、上記第１から第６のいずれかの態様において、さらに、前記リーダ装置に接続され、外部側近距離無線通信器と通信するカゴ側近距離無線通信器を有してもよい。
【００１８】
第８の態様に係るリーダ装置付きカゴは、上記第７の態様において、前記カゴ側近距離無線通信器は、ＵＨＦ帯またはＳＨＦ帯を利用した近距離無線通信システムで、前記外部側近距離無線通信器と通信してもよい。
【００１９】
第９の態様に係る物品管理システムは、ＲＦＩＤタグが付された物品を収容するカゴ本体と、前記カゴ本体に設けられ、前記ＲＦＩＤタグを読み取るためのリーダ装置と、前記リーダ装置に接続され、外部と通信するカゴ側近距離無線通信器と、を有するリーダ装置付きカゴであって、
前記リーダ装置は、
ＲＦＩＣ素子と、
一端が前記ＲＦＩＣ素子に接続され、前記カゴ本体を構成する面の少なくとも一部に配置されたケーブル状アンテナと、
を含む、リーダ装置付きカゴと、
前記カゴ側近距離無線通信器と通信する外部側近距離無線通信器と、
前記外部側近距離無線通信器と接続されたホストコンピュータと、
を備え、
前記リーダ装置付きカゴに入っている物品のＲＦＩＤタグの情報が、前記ＲＦＩＤタグ及び前記ケーブル状アンテナによるＲＦＩＤシステムと、前記外部側近距離無線通信器及び前記カゴ側近距離無線通信器による近距離無線通信システムと、を介して、前記ホストコンピュータに伝達される。
【００２０】
以下、実施の形態に係るリーダ装置付きカゴ及び物品管理システムについて、添付図面を参照しながら説明する。なお、図面において実質的に同一の部材については同一の符号を付している。
【００２１】
（実施の形態１）
図１は、実施の形態１に係るリーダ装置付きカゴ２０の構成を示すブロック図である。図２は、図１のリーダ装置付きカゴの一例であるリーダ装置付き買い物カゴ２０の構成を示す概略斜視図である。
このリーダ装置付きカゴ２０は、ＲＦＩＤタグ１１が付された物品１２を収容するカゴ本体１と、ＲＦＩＤタグ１１を読み取るためのリーダ装置１０と、を備える。リーダ装置１０は、ＲＦＩＣ素子２と、一端がＲＦＩＣ素子２に接続され、カゴ本体１を構成する面の少なくとも一部に配置されたケーブル状アンテナ３と、を含む。
【００２２】
このリーダ装置付きカゴ２０では、カゴ本体１を構成する面の少なくとも一部にケーブル状アンテナ３を配置している。このケーブル状アンテナ３としては、例えば、漏洩同軸ケーブルアンテナである。これによって、カゴ本体１の取出し口（開口部）９を通過してカゴ本体１に収容したＲＦＩＤタグ１１を読み取ることができる。
また、カゴ本体１の収容部分を取り囲むように漏洩同軸ケーブルアンテナ３を周回させて配置してもよい。この漏洩同軸ケーブルアンテナ３を周回させて配置していると、周回する漏洩同軸ケーブルアンテナ３からは様々な方向に電波が放射される。そこで、カゴ本体１のなかで商品１２が重ねられている場合、つまり、ＲＦＩＤタグ１１が重ねられていても、いずれかの方向から読み取ることができる可能性が高くなり、ＲＦＩＤタグ１１の読取り精度を向上させることができる。また、ケーブル状アンテナ３を用いているので周回させて配置しても干渉を生じない。そのため、商品１２やその包装物が金属を含んでいたりしても、金属による遮蔽の影響を受けない方向から読み取ることができるのでＲＦＩＤタグ１１の読取り精度を低下させることがない。
また、漏洩同軸ケーブルアンテナ３は、進行波型アンテナであって、共振系アンテナではない。そのため、近傍に他のカゴ２０があったり、金属物があっても、読み取り特性に大きな劣化は無い。さらに、それぞれのカゴ２０の進行波型アンテナ同士は互いに干渉しない。そのため近くのカゴ２０の中身を誤って読んでしまう可能性が小さい。
【００２３】
なお、このリーダ装置付きカゴ２０を構成するリーダ装置１０は、さらに店舗に設置された無線ＬＡＮ親機と通信するためのアンテナ６及び無線ＬＡＮ子機５を備えてもよい。さらに、制御部４、バッテリ７等を備えてもよい。
リーダ装置付きカゴ２０によれば、商品１２がリーダ装置付きカゴ２０に入れられると、その情報をリーダ装置１０で読み取り、さらに読み取った情報が、無線ＬＡＮ子機５−親機間の通信によって、ホストコンピュータに伝達される。商品１２がリーダ装置付きカゴ２０に入れられた時点で、その情報がデータベースに反映されるので、在庫情報をリアルタイムに把握することができる。また、会計時には、リーダ装置付きカゴ２０に入れられた商品１２の情報は既に把握されているので、会計処理の簡素化もできる。
【００２４】
以下に、このリーダ装置付きカゴ２０を構成する構成要素について説明する。
【００２５】
＜カゴ本体＞
カゴ本体１は、例えば、図２に示すような買物カゴであってもよい。カゴ本体１は、物品１２を取り出し口（開口部）９を介して収容することができる。カゴ本体１は、例えば、上面が取り出し口９として開口している直方体形状であってもよい。カゴ本体１は、例えば樹脂製、木製、竹製であってもよい。また、カゴ本体１は、板状体、メッシュ状のいずれであってもよい。メッシュ状の場合には金属製であってもよい。あるいは、樹脂及び金属の複合体であってもよい。また、把手もカゴ本体１に含まれる。
カゴ本体１は、上面の取り出し口９を囲む側面８ａ、８ｂ、８ｃ、８ｄと、底面８ｅとを有する。側面８ａと側面８ｃとがＹ方向に対向する面であり、側面８ｂと側面８ｄとがＸ方向に対向する面である。
なお、カゴ本体１は、物品１２を収容できる収容部を有すればよく、例えば、ショッピングカートであってもよい。カゴ本体が金属製の場合、ケーブル状アンテナはカゴ本体の内側に沿って引回されていることが好ましい。
【００２６】
＜リーダ装置＞
リーダ装置１０は、ＲＦＩＣ素子２と、一端がＲＦＩＣ素子２に接続され、カゴ本体１を構成する面の少なくとも一部に配置されたケーブル状アンテナ３と、を含む。
【００２７】
＜ＲＦＩＣ素子＞
ＲＦＩＣ素子２は、リーダ装置側のＲＦＩＣ素子であって、ケーブル状アンテナ３を介して物品１２に付されたＲＦＩＤタグ１１と通信する。ＲＦＩＤタグ１１はＲＦＩＣ素子（タグ側ＲＦＩＣ素子）と該ＲＦＩＣ素子に接続されたアンテナとを有する。リーダ装置１０およびＲＦＩＤタグ１１でＲＦＩＤシステムを構成する。このＲＦＩＤシステムは９００ＭＨｚ帯を通信周波数帯として利用したＵＨＦ帯ＲＦＩＤシステムである。
【００２８】
＜ケーブル状アンテナ＞
ケーブル状アンテナ３としては、例えば、漏洩同軸ケーブルアンテナである。なお、ケーブル状アンテナ３は、漏洩同軸ケーブルアンテナに限定されるものではなく、例えば、漏洩導波管型アンテナであってもよい。さらに、後述する実施の形態５に示すように、グランド放射型のケーブル状アンテナであってもよい。以下ではケーブル状アンテナのうち、漏洩同軸ケーブルアンテナについて説明する。
【００２９】
＜漏洩同軸ケーブルアンテナ＞
図３（ａ）は、漏洩同軸ケーブルアンテナ３の無線到達エリア１８の一例を示す概略図である。図３（ｂ）は、図３（ａ）の漏洩同軸ケーブルアンテナ３の部分拡大図である。
この漏洩同軸ケーブルアンテナ３は、ＲＦＩＤタグ１１のリーダ用アンテナである。この漏洩同軸ケーブルアンテナ３は、給電端１４に接続され、終端器１６に至る。
また、この漏洩同軸ケーブルアンテナ３は、カゴ本体１を構成する面の少なくとも一部に配置すればよい。また、カゴ本体１を構成する面のうち２面にわたって配置してもよい。具体的には、漏洩同軸ケーブルアンテナ３は、ＲＦＩＣ素子が設けられた面から延在してＲＦＩＣ素子が設けられた面とは異なる面にわたって配置されていてもよい。さらにカゴ本体１の底面８ｅに沿って配置してもよい。ここで、カゴ本体１を構成する面とは、例えば、カゴ本体１が多面体で構成されている場合にはそれぞれの面が対応する。一方、カゴ本体１が曲面を含む面で構成されている場合には、外接又は内接する多面体で近似した場合の各面が対応する。例えば、この漏洩同軸ケーブルアンテナ３は、図２に示すように、カゴ本体１の内面８ａ、８ｂ、８ｃ、８ｄに沿って配置されている。なお、「内面に沿って配置」とは、カゴ本体１の側面８ａ、８ｂ、８ｃ、８ｄ及び底面８ｅに沿って配置される場合だけでなく、カゴ本体１の側面８ａ、８ｂ、８ｃ、８ｄに沿って配置される場合も含む。側面８ａ、８ｂ、８ｃ、８ｄに沿って配置される場合とは、例えば、カゴ本体１の開口部９を囲む側面８ａ、８ｂ、８ｃ、８ｄの内側に漏洩同軸ケーブルアンテナ３を円周状又はヘリカル状に周回するように配置する場合である。この場合に、漏洩同軸ケーブルアンテナ３の配置は、図２に示す場合だけでなく、後述する実施の形態２乃至４の図７乃至図９に示すように、配置してもよい。なお、カゴ本体の中での物品の分布は底で密となり、上方で粗となるので、漏洩同軸ケーブルアンテナは、給電側（根元側）の方が通信距離が大きいので、カゴ本体１の下から上に巻き上げる方が好ましい。
なお、漏洩同軸ケーブルアンテナ３は、カゴ本体１自体に内蔵されていてもよい。
【００３０】
この漏洩同軸ケーブルアンテナ３は、線状または帯状のケーブル型アンテナであって、延在方向に沿って一様な電磁界強度を形成するものであればよい。また、この漏洩同軸ケーブル（Leaky Coaxial Cable）アンテナとは、例えば、図３（ｂ）の例に示すように、中心導体（芯線）２１と、絶縁体２２と、外部導体（外導体）２３とが同軸状に構成された同軸ケーブルであって、外部導体２３に開口部２４が周期的に設けられた同軸ケーブル型のアンテナである。図３ではさらに外側にシース２６が同軸に設けられている。漏洩同軸ケーブルアンテナ３の終端には、終端器１６が設けられる。中心導体２１は、漏洩同軸ケーブルアンテナ３の延在方向にわたって連続的に設けられる一方、絶縁体２２、外部導体２３およびシース２６は、所定長毎に設けられた開口部２４で開口している。つまり、漏洩同軸ケーブルアンテナ３には所定長毎に開口部２４が形成され、中心導体２１は、この開口部２４において外部に露出する。図３（ａ）に示す漏洩同軸ケーブルアンテナ３では、延在方向に直交する断面は、円形である。ここで、例えば、中心導体２１および外部導体２３の素材は銅であり、絶縁体２２の素材は発砲ポリエチレンであり、シース２６の素材は難燃ポリエチレンである。なお、これらの材料は一例であって、これらに限定されるものではない。
また、図３（ｂ）では、同軸ケーブルの外部導体２３に周期的な孔を設けて漏洩同軸ケーブルアンテナとしている。孔は、丸い孔に限られず、長方形状、長円形状等の孔であってもよい。さらに長方形状、長円形状の孔は、延在方向に対して垂直、水平、又は、傾斜していてもよい。あるいは、外部導体２３に延在方向に沿って開口する開口部２４を設けてもよい。漏洩同軸ケーブルアンテナ３を伝搬する高周波信号の一部は、電磁波として開口部２４から漏洩する。
なお、開口部２４は、カゴ本体１の内側に向かって設けられることが好ましい。
【００３１】
また、漏洩同軸ケーブルアンテナ３が描く線に直交する方向を０°とし、終端器１６側を＋θとし、給電側を−θとしたとき、電磁波は、＋θ方向に傾斜して放射されることが多い。ただし、放射源が複数あり、その配置は、ケーブルの形状によることから、漏洩される電磁波の偏波面は固定的ではない。この漏洩同軸ケーブルアンテナ３による漏洩電磁界はケーブルの延伸方向に対して垂直な方向に最大１ｍ程度である（極近距離）。
【００３２】
また、この漏洩同軸ケーブルアンテナ３は、可撓性を有する、つまりフレキシブルであることが好ましい。例えば、ある面内でその延在方向を変化させることができ、少なくとも１箇所で曲げることができる。また、急角度で曲げる場合だけでなく、少しづつカーブさせていってもよい。この漏洩同軸ケーブルアンテナ３は、直線状、Ｌ字形状、Ｌ字とＩ字とを組み合わせた上部開放型の箱形状（コの字状）、あるいはスパイラル形状（渦巻き形状）であってもよい。さらに、漏洩同軸ケーブルアンテナ３は、１本に限られず、２本又はそれ以上に分岐していてもよい。これによって設計自由度が高くなり、カゴ本体１の形状や、必要な電磁界強度に応じて漏洩同軸ケーブルアンテナ３を異なる方向に延在させることができ、適切なレイアウトを実現できる。
なお、カゴ本体１の大きさが変わっても漏洩同軸ケーブルアンテナ３は同様のものを利用できる。つまり、漏洩同軸ケーブルアンテナ３によれば、長さや配置場所の自由度が高い。
【００３３】
以上のように、漏洩同軸ケーブルアンテナ３、つまりケーブル状アンテナでは、延在方向に沿って描く線に近接するエリアのみが読み取り可能エリアとなる。また、漏洩同軸ケーブルアンテナ３によって放射される電磁波は、延在方向に沿って一様な電磁界強度を有する。このような特性を有する漏洩同軸ケーブルアンテナ３をカゴ本体１の内面に沿って配置することで、カゴ本体１の内側の全体にわたって適切な電磁界強度とすることができる。また、漏洩同軸ケーブルアンテナ３では、半径方向の狭い範囲にわたって電磁界を生じるので、カゴ本体１の外面から外側に向かっては電磁界が急激に弱くなる。そのため、カゴ本体１に入っていないＲＦＩＤタグを誤って読んでしまうリスクが小さい。
【００３４】
＜無線ＬＡＮ子機＞
無線ＬＡＮ子機５は、無線ＬＡＮ親機と通信するためのものである。無線ＬＡＮ子機５は、無線ＬＡＮ親機とＵＨＦ帯またはＳＨＦ帯で通信するものであればよい。無線ＬＡＮ子機と無線ＬＡＮ親機とで近距離無線通信システムを構成する。なお、これらの近距離無線通信システムは１０ｍ〜１００ｍ程度の通信距離を有した近距離無線通信システムであり、２．４ＧＨｚ帯や５ＧＨｚ帯の通信周波数帯を利用する。つまり、上記の９００ＭＨｚ帯を利用したＲＦＩＤシステムとは通信周波数帯や電波の強度や性質が異なるため、近距離無線通信システムとＲＦＩＤシステムとの干渉はほとんど無い。この近距離無線通信システムで用いるアンテナは共振系のアンテナである。なお、近距離無線通信システムとしては、ＷｉＦｉに代表される無線ＬＡＮシステムの他、Ｂｌｕｅｔｏｏｔｈ(登録商標)システムを利用してもよい。
【００３５】
＜ＲＦＩＤタグを付した物品について＞
ＲＦＩＤタグ１１を付した物品１２について説明する。
【００３６】
＜ＲＦＩＤタグ＞
図４（ａ）は、ＲＦＩＤタグ１１を付した物品１２を示す概略図である。図４（ｂ）は、図４（ａ）のＲＦＩＤタグ１１の一例を示す概略図である。
このＲＦＩＤタグ１１は、図４（ａ）に示すように、物品１２であるペットボトルに付されている。本実施形態ではＲＦＩＤタグ１１が物品１２に直接に取り付けられているが、これに限られず、例えば、ワイヤー等で関連付けてもよい。ＲＦＩＤタグ１１は、ＲＦＩＣチップ１００と、その両側にミアンダ状に延在する２つのアンテナ素子１０１ａ、１０１ｂを備えたダイポールアンテナと、ＲＦＩＣチップ１００とアンテナ素子１０１ａ、１０１ｂとを挟み込んだカバー材１０２によって構成されている。なお、アンテナは、ミアンダ状でない直線状のダイポールアンテナであってもよい。さらに、ループ状アンテナであってもよい。ＲＦＩＤタグ１１のアンテナ素子の構成は、通信の周波数帯に応じて適宜選択すればよい。ＲＦＩＣチップは整合回路とともにパッケージされていてもよい。また、カバー材の表面には、例えば値段やブランド名等が印字してある。なお、ＲＦＩＤタグ１１は、通常、物品１２に付される、あるいはひも付け等により物理的に接続されているが、これに限られない。例えば、ＲＦＩＤタグ１１と、物品１２とが物理的には分離しており、別個に配置されていてもよい。この場合にもＲＦＩＤタグ１１は、物品１２と関連付けられていればよい。
【００３７】
＜物品＞
ＲＦＩＤタグ１１を付する物品（商品）１２としては、カゴ本体１の中に配置するものであって、ＲＦＩＤタグ１１による管理を行うものであれば何でもよい。例えば、物品１２としては、食品、食器、容器、小物等であってもよい。また、物品として取扱いに注意を要する宝飾品や食器等についても、各物品に直接に触れることなく、会計前に在庫管理、セキュリティに関する管理を行うことができる。
【００３８】
＜物品管理システム＞
図５は、互いに通信可能なリーダ装置付きカゴ２０と無線ＬＡＮ親機３２ａ、３２ｂとを有する物品管理システムの構成を示す概略図である。図６は、図５の物品管理システムの構成を示すブロック図である。
この物品管理システムは、リーダ装置付きカゴ２０、２０ａ、２０ｂと、親機通信モジュール３０と、を備える。リーダ装置付きカゴ２０、２０ａ、２０ｂは、ＲＦＩＤタグ１１ａ、１１ｂ、１１ｃが付された物品１２を収容し、ＲＦＩＤタグ１１ａ、１１ｂ、１１ｃを読み取るためのリーダ装置１０ａ、１０ｂと、リーダ装置１０ａ、１０ｂに接続され、外部と通信する無線ＬＡＮ子機５、５ａ、５ｂと、を有する。親機通信モジュール３０は、無線ＬＡＮ子機５、５ａ、５ｂと通信する無線ＬＡＮ親機３２、３２ａ、３２ｂと、無線ＬＡＮ親機３２，３２ａ、３２ｂと接続されたホストコンピュータ３４と、を有する。この物品管理システムでは、リーダ装置付きカゴ２０に入っている物品のＲＦＩＤタグの情報が、ＲＦＩＤタグ及びケーブル状アンテナによるＲＦＩＤシステムと、無線ＬＡＮ子機５、５ａ、５ｂ及び親機３２、３２ａ、３２ｂによる無線ＬＡＮシステムと、を介して、ホストコンピュータ３４に伝達される。
【００３９】
この物品管理システムによれば、ＲＦＩＤタグ１１ａ、１１ｂ、１１ｃを付した商品１２がリーダ装置付きカゴ２０、２０ａ、２０ｂに入れられた時点で、その情報がホストコンピュータ３４に伝達され、データベースに反映される。そこで、陳列棚にある商品だけでなく、リーダ装置付きカゴ２０、２０ａ、２０ｂに入っている商品１２を含めた商品１２の在庫情報をリアルタイムに把握することができる。また、会計時には、リーダ装置付きカゴ２０、２０ａ、２０ｂに入れられた商品１２の情報は既に把握されているので、会計処理の簡素化もできる。
【００４０】
（実施の形態２）
図７は、実施の形態２に係るリーダ装置付き買い物カゴ２０ｃの構成を示す概略斜視図である。このリーダ装置付き買い物カゴ２０ｃでは、実施の形態１に係るリーダ装置付き買い物カゴと対比すると、漏洩同軸ケーブルアンテナ３ｃをカゴ本体１の収容部を取り囲むように取り付けている点で相違する。具体的には、漏洩同軸ケーブルアンテナ３ｄは、カゴ本体１の側面８ａの上辺から側面８ｂ、８ｃ、８ｄ、８ａ、８ｂ、８ｃ、８ｄ、８ａとらせん状に２回周回しながら取り付けられ終端している。これによって、漏洩同軸ケーブルアンテナ３ｃがカゴ本体１の側面を取り囲んで設けられているので、カゴ本体１内に収容された商品１２に付されたＲＦＩＤタグ１１の読み取り精度がさらに向上する。
【００４１】
（実施の形態３）
図８は、実施の形態３に係るリーダ装置付き買い物カゴ２０ｄの構成を示す概略斜視図である。このリーダ装置付き買い物カゴ２０ｄでは、実施の形態１に係るリーダ装置付き買い物カゴと対比すると、漏洩同軸ケーブルアンテナ３ｄをカゴ本体１の収容部を取り囲むように、且つ、底面８ｅに沿って取り付けている点で相違する。具体的には、漏洩同軸ケーブルアンテナ３ｄは、カゴ本体１の側面８ａの上辺から側面８ｂ、８ｃ、８ｄ、８ａ、８ｂをらせん状に１回半周回しながら下辺に達したら、底面８ｅに沿って取り付けられ終端している。これによって、漏洩同軸ケーブルアンテナ３ｄがカゴ本体１の側面及び底面を取り囲んで設けられているので、リーダ装置付き買い物カゴ２０ｄ内に収容された商品１２に付されたＲＦＩＤタグ１１の読み取り精度がさらに向上する。
【００４２】
（実施の形態４）
図９は、実施の形態４に係るリーダ装置付き買い物カゴ２０ｅの構成を示す概略斜視図である。このリーダ装置付き買い物カゴ２０ｅでは、実施の形態１に係るリーダ装置付き買い物カゴと対比すると、漏洩同軸ケーブルアンテナ３ｅを各側面及び底面にわたって取り囲むように取り付けている点で相違する。具体的には、漏洩同軸ケーブルアンテナ３ｅは、各側面８ａ、８ｂ、８ｃ、８ｄの上辺から下辺にわたって往復すると共に、底面８ｅの両端を往復して取り付けられている。これによって、漏洩同軸ケーブルアンテナ３ｅがカゴ本体１の側面及び底面を取り囲んで設けられているので、リーダ装置付き買い物カゴ２０ｅ内に収容された商品１２に付されたＲＦＩＤタグ１１の読み取り精度がさらに向上する。
【００４３】
（実施の形態５）
図１０Ａは、実施の形態５に係るリーダ装置付きカゴを構成するリーダ装置のケーブル状アンテナの一例として、グランド放射型のケーブル状アンテナ４０の構成を示す概略構成図である。図１０Ｂは、図１０Ａのグランド放射型のケーブル状アンテナ４０が備える整合回路部５０の概略図である。図１１Ａは、整合回路部５０の平面図である。図１１Ｂは、図１１ＡのＡ−Ａ線断面図である。図１１Ｃは、図１１Ａのケーブル状アンテナ４０が備える整合回路部５０の等価回路図である。
【００４４】
実施の形態５に係るリーダ装置付きカゴは、実施の形態１に係るリーダ装置付きカゴと対比すると、リーダ装置付きカゴを構成するリーダ装置のケーブル状アンテナとして、グランド放射型のケーブル状アンテナ４０を用いていることを特徴とする。このグランド放射型のケーブル状アンテナ４０では、漏洩同軸ケーブルアンテナと対比すると、図３（ａ）に示す場合とは逆に、給電側よりも先端側（整合器側）の通信距離（読取り可能エリア）が大きくなる。そこで、カゴ本体の中での物品の分布は底で密となり、上方で粗となるので、グランド放射型のケーブル状アンテナは、カゴ本体の上から下に向かって巻き下ろす方が好ましい。
【００４５】
＜グランド放射型のケーブル状アンテナ＞
グランド放射型のケーブル状アンテナ４０は、図１０Ａに示すように、同軸ケーブルで構成されるケーブル状本体部４１を備えている。ケーブル状本体部４１は、内部導体４４と、内部導体４４に沿って設けられた外部導体４５とを有している。また、グランド放射型のケーブル状アンテナ４０は、ケーブル状本体部４１の一端部に設けられた整合回路部５０と、ケーブル状本体部４１の一端部から離れた位置で外部導体４５の外周面に沿うように設けられた磁性体４６とを有している。
【００４６】
整合回路部５０は、内部導体４４のインピーダンスと外部導体４５のインピーダンスとを一致させるように機能するものである。内部導体４４と外部導体４５とは、図１０Ｂに示すように、整合回路部５０を介して接続されている。
【００４７】
整合回路部５０は、図１１Ａ及び図１１Ｂに示すように、内部導体４４に接続された平面状の第１導体層５１と、ビアホール導体５２と、平面状の第２導体層５３とを有している。第１導体層５１と第２導体層５３とは、外部導体４５の外径よりも広い幅を有し、内部導体４４の延在方向に沿って延在している。また、第１導体層５１と第２導体層５３とは、絶縁体５４を介して互いに対向するように設けられ、２つのビアホール導体５２によって互いに接続されている。第２導体層５３は、第１導体層５１よりもケーブル状本体部４１の延在方向の長さが長く形成されている。これにより、第２導体層５３の一部と外部導体４５とが、絶縁体５４を介して互いに対向するように設けられている。なお、図１１Ｂでは、ビアホール導体５２及び内部導体４４の両方を断面で図示するために、図１１ＡのＡ−Ａ線で示すように、便宜上、切断面を途中でずらしている。
【００４８】
内部導体４４は、第１導体層５１に電気的に接続されている。第１導体層５１は、２つのビアホール導体５２を介して第２導体層５３に電気的に接続されている。第２導体層５３は、絶縁体５４を介するキャパシタ成分５５を有する容量結合によって外部導体４５に接続されている。すなわち、図１１Ｃに示すように、内部導体４４と外部導体４５とは、キャパシタ成分５５とインダクタ成分５６とを有する整合回路部５０を介して接続されている。
【００４９】
磁性体４６は、例えば、フェライトで構成されている。磁性体４６は、ＲＦＩＤタグに対して通信を行う放射部４７と、ＲＦＩＤタグに対して通信しない非放射部４８とにグランド放射型のケーブル状アンテナ４０を区切るように機能する。すなわち、放射部４７は、ケーブル状本体部４１の一端部から磁性体４６まで延在する。非放射部４８は、磁性体４６からケーブル状本体部４１の他端部まで延在する。非放射部４８は、シールド部材として機能する。ケーブル状本体部４１の他端部は、給電部４３に接続されている。また、外部導体４５は、電気的に安定するように、グランドに接続されている。
【００５０】
なお、グランド放射型のケーブル状アンテナ４０は、外部導体４５に生じる定在波を利用したアンテナであって、いわゆるループアンテナではない。また、グランド放射型のケーブル状アンテナ４０の検知領域（電波エリア）は、約１ｍ以内に限られる。また、グランド放射型のケーブル状アンテナ４０の近傍に金属体や磁性体があっても、周波数特性は大きく変わらない。また、グランド放射型のケーブル状アンテナ４０は、屈曲させても屈曲部分間での干渉等が生じない。このため、グランド放射型のケーブル状アンテナ４０は、２次元的又は３次元的に比較的自由に配置することが可能である。
【００５１】
なお、本開示においては、前述した様々な実施の形態及び／又は実施例のうちの任意の実施の形態及び／又は実施例を適宜組み合わせることを含むものであり、それぞれの実施の形態及び／又は実施例が有する効果を奏することができる。
【産業上の利用可能性】
【００５２】
本発明に係るリーダ装置付きカゴによれば、ケーブル状アンテナを用いているので、買物カゴ等のカゴ内のタグ付き商品を読み取り易い。そこで、このリーダ装置付きカゴを用いて物品管理システムを構築できる。
【符号の説明】
【００５３】
１  カゴ本体
２、２ａ、２ｂ  ＲＦＩＣ素子
３、３ａ、３ｂ、３ｃ、３ｄ、３ｅ  ケーブル状アンテナ（漏洩同軸ケーブルアンテナ）
４  制御部
５、５ａ、５ｂ  ＷｉＦｉ子機（無線ＬＡＮ子機）
６、６ａ、６ｂ  ＷｉＦｉアンテナ
７  バッテリ
８ａ、８ｂ、８ｃ、８ｄ、８ｅ  カゴ本体を構成する面（側面及び底面）
９  取り出し口（開口部）
１０、１０ａ、１０ｂ、１０ｃ、１０ｄ、１０ｅ  リーダ装置
１１、１１ａ、１１ｂ、１１ｃ  ＲＦＩＤタグ
１２、１２ａ、１２ｂ、１２ｃ  物品（商品）
１４  給電端
１６  終端器
１８  無線到達エリア
２０、２０ａ、２０ｂ、２０ｃ、２０ｄ、２０ｅ  リーダ装置付きカゴ
２１  中心導体
２２  絶縁体
２３  外部導体
２４  開口部
２５  電波
２６  シース
３０  親機通信モジュール
３２、３２ａ、３２ｂ  無線ＬＡＮ親機
３４  ホストコンピュータ
４０  ケーブル状アンテナ（グランド放射型）
４１  ケーブル状本体部
４３  給電部
４４  内部導体
４５  外部導体
４６  磁性体
４７  放射部
４８  非放射部
５０  整合回路部
５１  第１導体層
５２  ビアホール導体
５３  第２導体層
５４  絶縁体
５５  キャパシタ成分
５６  インダクタ成分
１００  ＲＦＩＣチップ
１０１ａ、１０１ｂ  アンテナ素子
１０２  カバー材
【図１】
2017159275.tif 000003
【図２】
2017159275.tif 000004
【図３】
2017159275.tif 000005
【図４】
2017159275.tif 000006
【図５】
2017159275.tif 000007
【図６】
2017159275.tif 000008
【図７】
2017159275.tif 000009
【図８】
2017159275.tif 000010
【図９】
2017159275.tif 000011
【図１０Ａ】
2017159275.tif 000012
【図１０Ｂ】
2017159275.tif 000013
【図１１Ａ】
2017159275.tif 000014
【図１１Ｂ】
2017159275.tif 000015
【図１１Ｃ】
2017159275.tif 000016
【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
ダイポールアンテナを有したＲＦＩＤタグが付された物品を収容するカゴ本体と、
前記カゴ本体に設けられ、前記ＲＦＩＤタグを読み取るためのリーダ装置と、
を備え、
前記リーダ装置は、
ＲＦＩＣ素子と、
一端が前記ＲＦＩＣ素子に接続されたケーブル状アンテナと、
を含み、
前記ケーブル状アンテナは、グランド放射型のケーブル状アンテナであり、前記カゴ本体の開口部を介して前記物品を収容する収容部分に、前記開口部を貫く軸を周回するように配置されている、リーダ装置付きカゴ。
【請求項２】
前記ケーブル状アンテナは、前記ＲＦＩＣ素子が設けられた面から延在して前記ＲＦＩＣ素子が設けられた面とは異なる面にわたって配置されている請求項１に記載のリーダ装置付きカゴ。
【請求項３】
前記ケーブル状アンテナは、さらに前記カゴ本体の底面に沿って設置されている、請求項１または２に記載のリーダ装置付きカゴ。
【請求項４】
前記ケーブル状アンテナは、前記開口部を貫く軸を周回するようにヘリカル状に配置されている、請求項１から３のいずれか一項に記載のリーダ装置付きカゴ。
【請求項５】
前記ケーブル状アンテナは、一端が前記ＲＦＩＣ素子に接続された信号ラインと、前記信号ラインに沿って設けられているとともに、前記信号ラインに沿って所定間隔に開口を有したグランドと、他端に設けられた終端器と、を有する、請求項１から４のいずれか一項に記載のリーダ装置付きカゴ。
【請求項６】
前記ケーブル状アンテナは、一端が前記ＲＦＩＣ素子に接続された信号ラインと、前記信号ラインに沿って設けられたグランドと、他端に設けられ、前記信号ラインと前記グランドとの間に接続された整合器と、を有する、請求項１から４のいずれか一項に記載のリーダ装置付きカゴ。
【請求項７】
さらに、前記リーダ装置に接続され、外部側近距離無線通信器と通信するカゴ側近距離無線通信器を有する、請求項１から６のいずれか一項に記載のリーダ装置付きカゴ。
【請求項８】
前記カゴ側近距離無線通信器は、ＵＨＦ帯またはＳＨＦ帯を利用した近距離無線通信システムで、前記外部側近距離無線通信器と通信する、請求項７に記載のリーダ装置付きカゴ。
【請求項９】
ダイポールアンテナを有したＲＦＩＤタグが付された物品を収容するカゴ本体と、前記カゴ本体に設けられ、前記ＲＦＩＤタグを読み取るためのリーダ装置と、前記リーダ装置に接続され、外部と通信するカゴ側近距離無線通信器と、を有するリーダ装置付きカゴであって、
前記リーダ装置は、
ＲＦＩＣ素子と、
一端が前記ＲＦＩＣ素子に接続されたケーブル状アンテナと、
を含み、
前記ケーブル状アンテナは、グランド放射型のケーブル状アンテナであり、前記カゴ本体の開口部を介して前記物品を収容する収容部分に、前記開口部を貫く軸を周回するように配置されている、リーダ装置付きカゴと、
前記カゴ側近距離無線通信器と通信する外部側近距離無線通信器と、
前記外部側近距離無線通信器と接続されたホストコンピュータと、
を備え、
前記リーダ装置付きカゴに入っている物品のＲＦＩＤタグの情報が、前記ＲＦＩＤタグ及び前記ケーブル状アンテナによるＲＦＩＤシステムと、前記外部側近距離無線通信器及び前記カゴ側近距離無線通信器による近距離無線通信システムと、を介して、前記ホストコンピュータに伝達される、物品管理システム。
【請求項１０】
前記ケーブル状アンテナは、前記カゴ本体の前記開口部の近傍にて周回されている、請求項１に記載のリーダ装置付きカゴ。
【請求項１１】
前記ケーブル状アンテナは、前記カゴ本体の前記開口部の近傍にて周回されている、請求項９に記載の物品管理システム。
【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
ダイポールアンテナを有したＲＦＩＤタグが付された物品を収容するカゴ本体と、
前記カゴ本体に設けられ、前記ＲＦＩＤタグを読み取るためのリーダ装置と、
を備え、
前記リーダ装置は、
ＲＦＩＣ素子と、
一端が前記ＲＦＩＣ素子に接続されたケーブル状アンテナと、
を含み、
前記ケーブル状アンテナは、グランド放射型のケーブル状アンテナであり、前記カゴ本体の開口部を介して前記物品を収容する収容部分に、前記開口部を貫く軸を周回するように配置されている、リーダ装置付きカゴ。
【請求項２】
前記ケーブル状アンテナは、前記ＲＦＩＣ素子が設けられた面から延在して前記ＲＦＩＣ素子が設けられた面とは異なる面にわたって配置されている請求項１に記載のリーダ装置付きカゴ。
【請求項３】
前記ケーブル状アンテナは、さらに前記カゴ本体の底面に沿って設置されている、請求項１または２に記載のリーダ装置付きカゴ。
【請求項４】
前記ケーブル状アンテナは、前記開口部を貫く軸を周回するようにヘリカル状に配置されている、請求項１から３のいずれか一項に記載のリーダ装置付きカゴ。
【請求項５】
前記ケーブル状アンテナは、一端が前記ＲＦＩＣ素子に接続された内部導体と、前記内部導体に沿って設けられているとともに、前記内部導体に沿って所定間隔に開口を有した外部導体と、他端に設けられた終端器と、を有する、請求項１から４のいずれか一項に記載のリーダ装置付きカゴ。
【請求項６】
前記ケーブル状アンテナは、一端が前記ＲＦＩＣ素子に接続された信号ラインと、前記信号ラインに沿って設けられたグランドと、他端に設けられ、前記信号ラインと前記グランドとの間に接続された整合器と、を有する、請求項１から４のいずれか一項に記載のリーダ装置付きカゴ。
【請求項７】
さらに、前記リーダ装置に接続され、外部側近距離無線通信器と通信するカゴ側近距離無線通信器を有する、請求項１から６のいずれか一項に記載のリーダ装置付きカゴ。
【請求項８】
前記カゴ側近距離無線通信器は、ＵＨＦ帯またはＳＨＦ帯を利用した近距離無線通信システムで、前記外部側近距離無線通信器と通信する、請求項７に記載のリーダ装置付きカゴ。
【請求項９】
ダイポールアンテナを有したＲＦＩＤタグが付された物品を収容するカゴ本体と、前記カゴ本体に設けられ、前記ＲＦＩＤタグを読み取るためのリーダ装置と、前記リーダ装置に接続され、外部と通信するカゴ側近距離無線通信器と、を有するリーダ装置付きカゴであって、
前記リーダ装置は、
ＲＦＩＣ素子と、
一端が前記ＲＦＩＣ素子に接続されたケーブル状アンテナと、
を含み、
前記ケーブル状アンテナは、グランド放射型のケーブル状アンテナであり、前記カゴ本体の開口部を介して前記物品を収容する収容部分に、前記開口部を貫く軸を周回するように配置されている、リーダ装置付きカゴと、
前記カゴ側近距離無線通信器と通信する外部側近距離無線通信器と、
前記外部側近距離無線通信器と接続されたホストコンピュータと、
を備え、
前記リーダ装置付きカゴに入っている物品のＲＦＩＤタグの情報が、前記ＲＦＩＤタグ及び前記ケーブル状アンテナによるＲＦＩＤシステムと、前記外部側近距離無線通信器及び前記カゴ側近距離無線通信器による近距離無線通信システムと、を介して、前記ホストコンピュータに伝達される、物品管理システム。
【請求項１０】
前記ケーブル状アンテナは、前記カゴ本体の前記開口部の近傍にて周回されている、請求項１に記載のリーダ装置付きカゴ。
【請求項１１】
前記ケーブル状アンテナは、前記カゴ本体の前記開口部の近傍にて周回されている、請求項９に記載の物品管理システム。
【国際調査報告】
2017159275.tif 000017
2017159275.tif 000018
2017159275.tif 000019
2017159275.tif 000020